(57)【要約】【課題】、切替ダンパの側面とシュートの内壁の隙間に、搬送物が進入することを抑制するコンベヤ搬送装置用シュートを提供する。【解決手段】シュート１０は、搬送物Ｃが投下される供給部１ｃ、分岐した分岐排出通路１１ｐ及び主排出通路１２ｐ、及び、切替ダンパ２を備える。切替ダンパ２は、回動軸２ｓと一組のダンパ板２１・２２を有する。回動軸２ｓは、分岐排出通路１１ｐ及び主排出通路１２ｐの分岐部分に回動自在に配置され、ダンパ板２１・２２は、回動軸２ｓの外周から遠心方向に延びている。ダンパ板２１・２２は、それらの幅方向の両側が屈曲して形成された一対の側面板部２１ｓ・２１ｓ及び一対の側面板部２２ｓ・２２ｓを有する。【選択図】図１
2022001514.tif 000002
【特許請求の範囲】
【請求項１】
上部に配置され、ベルトコンベヤで搬送された搬送物が投下される供給部、この供給部の下方に分岐した二つの排出通路、及び、前記二つの排出通路の分岐部分に回動自在に配置され、一方の前記排出通路を開放しているときは他方の前記排出通路を閉鎖している切替ダンパを備えたコンベヤ搬送装置用シュートであって、
前記切替ダンパは、
前記二つの排出通路の分岐部分に回動自在に配置された回動軸と、
前記回動軸の外周から遠心方向に楔形に延びた一組のダンパ板と、を有し、
これらのダンパ板は、前記ダンパ板の幅方向の両側が屈曲して形成された一対の側面板部を有している、コンベヤ搬送装置用シュート。
【請求項２】
前記供給部の下方の内部に対向した状態で配置され、前記ベルトコンベヤから投下された搬送物の流れ幅を縮小する一対のストーンボックスを更に備え、
一対のストーンボックスは、落下した搬送物が前記ダンパ板の中央部に集束するように、対向間隔を設定している、請求項１記載のコンベヤ搬送装置用シュート。
【請求項３】
前記切替ダンパは、前記ダンパ板の外面に取り付けた硬質のライナー板を更に備え、
前記ライナー板は、前記ダンパ板の側面板部に内側から当接する側部を有している、請求項１又２記載のコンベヤ搬送装置用シュート。
【発明の詳細な説明】
【技術分野】
【０００１】
本発明は、コンベヤ搬送装置用シュートに関する。特に、ベルトコンベヤなどから搬送されて投入された石炭などの塊状物を、一方の排出通路と他方の排出通路に振り分ける切替ダンパを備えたコンベヤ搬送装置用シュートの構造に関する。
【背景技術】
【０００２】
例えば、上流側に配置されたベルトコンベヤは、石炭などの塊状物を搬送し、シュートの上部から石炭などの搬送物を投下している。このようなシュートは、投下された搬送物を異なる搬送先に振り分けられるように、シュートの排出通路を二股に分岐すると共に、一方の排出通路と他方の排出通路に振り分ける切替ダンパを備えている（特許文献１参照）。
【０００３】
図５は、従来技術によるコンベヤ搬送装置用シュート８（以下「シュート８」と略称する）の構成を示す縦断面図であり、図５（Ａ）は、一方の排出通路８１ｐを切替ダンパ８ｄが開放し、他方の排出通路８２ｐを切替ダンパ８ｄで閉鎖した状態図、図５（Ｂ）は、一方の排出通路８１ｐを切替ダンパ８ｄで閉鎖し、他方の排出通路８２ｐを切替ダンパ８ｄが開放した状態図である。なお、本願の図５は、特許文献１の図２に相当する。
【０００４】
図５を参照すると、シュート８は、上部に構成した供給部８ｃと、供給部８ｃの下方に分岐した一組の排出通路８１ｐ・８２ｐと、一組の排出通路８１ｐ・８２ｐよりも搬送物Ｃの搬送経路における上流側に設けられた切替ダンパ８ｄと、で構成している。供給部８ｃの上方には、シュート８よりも搬送物Ｃの搬送経路における上流側に配置されたベルトコンベヤ１Ｃｖの一部が導入されている。そして、ベルトコンベヤ１Ｃｖで搬送された石炭などの搬送物Ｃがシュート８の供給部８ｃに投下されている。
【０００５】
切替ダンパ８ｄは、供給部８ｃの下方に設けられ、供給部８ｃに投下された搬送物Ｃは、切替ダンパ８ｄに向けて落下する切替ダンパ８ｄは、ベルトコンベヤ１Ｃｖの駆動軸と平行な軸回りに回動自在に設けられている。切替ダンパ８ｄは、供給部８ｃから落下した搬送物Ｃを、一方の排出通路８１ｐ又は他方の排出通路８２ｐに、振り分ける。
【０００６】
切替ダンパ８ｄは、回動軸８１ｓ、矩形のダンパ板８１ｂ、及び、堰板８２ｂを備えている。回動軸８１ｓは、ベルトコンベヤ１Ｃｖの駆動軸と平行に設けられ、供給部８ｃに対して回動自在に連結している。ダンパ板８１ｂは、回動軸８１ｓから遠心方向に向かって延びている。堰板８２ｂは、ダンパ板８１ｂの基端部側に配置している。又、堰板８２ｂは、ダンパ板８１ｂと略直交した状態で配置されている。
【０００７】
又、回動軸８１ｓは、その一部がシュート８の外部に延出している。シュート８は、この延出した回動軸８１ｓの延長軸をモータなどの回転装置（図示せず）を用いて、所定範囲内で正逆回転させることで、ダンパ板８１ｂの配置を変更できる。
【０００８】
図６は、他の従来技術によるコンベヤ搬送装置用シュート９（以下「シュート９」と略称する）の構成を示す縦断面図であり、図６（Ａ）は、主排出通路９２ｐを切替ダンパ９ｄが開放し、分岐排出通路９１ｐを切替ダンパ９ｄで閉鎖した状態図、図６（Ｂ）は、主排出通路９２ｐを切替ダンパ９ｄで閉鎖し、分岐排出通路９１ｐを切替ダンパ９ｄが開放した状態図である。
【０００９】
図７は、図６（Ｂ）の拡大図である。図８は、切替ダンパ９ｄの構成を示す図であり、図８（Ａ）は、切替ダンパ９ｄの斜視図、図８（Ｂ）は、図８（Ａ）のＡ−Ａ矢視断面図である。
【００１０】
図６又は図７を参照すると、シュート９は、上部に構成した供給部９ｃ、分岐排出通路９１ｐ、主排出通路９２ｐ、及び、切替ダンパ９ｄを有している。主排出通路９２ｐは、供給部９ｃに連通している。分岐排出通路９１ｐは、主排出通路９２ｐから分岐している。
【００１１】
供給部９ｃには、シュート９よりも搬送物Ｃの搬送経路における上流側に配置されたベルトコンベヤ１Ｃｖの一部が導入されている。ベルトコンベヤ１Ｃｖで搬送された石炭などの搬送物Ｃが供給部９ｃに投下される。
【００１２】
供給部９ｃには、バッフルプレート（緩衝板）Ｂｐが配置されている。バッフルプレートＢｐは、所定の間隔を設けて、ベルトコンベヤ１Ｃｖと対向配置している。ベルトコンベヤ１Ｃｖで搬送された搬送物ＣがバッフルプレートＢｐに衝突することで、搬送物Ｃの落下する方向を変更できる。
【００１３】
供給部９ｃには、一対の三角柱状のストーンボックス（緩衝棚）１Ｓｂ・２Ｓｂが供給部９ｃの出口側の内壁に固定されている。一対のストーンボックス１Ｓｂ・２Ｓｂを対向配置し、ベルトコンベヤ１Ｃｖから落下した搬送物Ｃがストーンボックス１Ｓｂ・２Ｓｂの斜面に衝突することで、搬送物Ｃの落下エネルギーを低減できる。又、シュート９は、一対のストーンボックス１Ｓｂ・２Ｓｂにより、シュート９の供給部９ｃの幅を狭くすることで切替ダンパ９ｄによって分岐排出通路９１ｐ又は主排出通路９２ｐを好適に閉鎖できる。
【００１４】
切替ダンパ９ｄは、分岐排出通路９１ｐと主排出通路９２ｐの分岐部分に回動自在に連結されている。切替ダンパ９ｄは、供給部９ｃから落下した搬送物Ｃを分岐排出通路９１ｐ又は主排出通路９２ｐのいずれかに、振り分けることができる。
【００１５】
図８を参照すると、切替ダンパ９ｄは、回動軸９１ｓと一組の矩形のダンパ板９１ｂ・９１ｂを備えている。回動軸９１ｓは、ベルトコンベヤ１Ｃｖの駆動軸と平行に設けられ、供給部９ｃに対して回動自在に連結されている。一組のダンパ板９１ｂ・９１ｂは、回動軸９１ｓの外周から遠心方向に延びている。一組のダンパ板９１ｂ・９１ｂは、基端部から先端部に向けて対向間隔が漸減する楔形に形成され、各々のダンパ板９１ｂ・９１ｂの基端部が回動軸９１ｓの外周に固定され、先端縁同士が互いに連結されている。
【００１６】
回動軸９１ｓは、シュート９の内壁Ｗ・Ｗを横断した状態で配置されている。シュート９の内壁Ｗ・Ｗから延出した回動軸９１ｓの延長軸をモータなどの回転装置（図示せず）を用いて、所定範囲内で正逆回転させることで、切替ダンパ９ｄの配置を変更できる。
【００１７】
図６（Ａ）に示した状態では、シュート９は、分岐排出通路９１ｐを切替ダンパ９ｄが開放し、主排出通路９２ｐを切替ダンパ９ｄが閉鎖している。主排出通路９２ｐに向かって落下した搬送物Ｃは、切替ダンパ９ｄに遮られて、分岐排出通路９１ｐに流れていく。そして、分岐排出通路９１ｐに流入した搬送物Ｃは、第１のベルトコンベヤ１１Ｃｖに排出されて所定の搬送先に搬送される。
【００１８】
図６（Ｂ）に示した状態では、シュート９は、主排出通路９２ｐを切替ダンパ９ｄが開放し、分岐排出通路９１ｐを切替ダンパ９ｄで閉鎖している。分岐排出通路９１ｐに向かって落下した搬送物Ｃは、切替ダンパ９ｄに遮られて、分岐排出通路９１ｐに流れていくことが阻止される。そして、主排出通路９２ｐに流入した搬送物Ｃは、第２のベルトコンベヤ１２Ｃｖに排出されて所定の他の搬送先に搬送される。
【００１９】
他の従来技術によるシュート９は、内部に備えた切替ダンパ９ｄの配置を切り替えることで、上部の供給部５ｃから投入された搬送物Ｃを第１のベルトコンベヤ１１Ｃｖと第２のベルトコンベヤ１２Ｃｖに振り分けることができる。
【先行技術文献】
【特許文献】
【００２０】
【特許文献１】特開２００３−１８２８２４号公報
【発明の概要】
【発明が解決しようとする課題】
【００２１】
しかしながら、従来技術によるシュート８は、シュート８の内壁（供給部８ｃと排出通路８１ｐ・８２ｐとの分岐部８ｂ近傍における内壁）とダンパ板８１ｂとの間に形成される隙間（即ち、ダンパ板８１ｂの可動範囲におけるダンパ板８１ｂの側面とシュート８の内壁との間に形成される隙間）に、細粒化した石炭などの搬送物Ｃが噛み込むことで、切替ダンパ８ｄを回動することが困難になる、という問題がある。
【００２２】
また、他の従来技術によるシュート９は、切替ダンパ９ｄと分岐排出通路９１ｐ又は主排出通路９２ｐの間の隙間Ｇｐ（図８（Ｂ）参照）に、細粒化した石炭などの搬送物Ｃが噛み込むことで、切替ダンパ９ｄを回動することが困難になる、という問題がある。
【００２３】
本発明は、このような課題に鑑みてなされたものであり、切替ダンパの側面とシュートの内壁の隙間に、搬送物が進入することを抑制するコンベヤ搬送装置用シュートを提供することを目的とする。
【課題を解決するための手段】
【００２４】
本発明者は、排出通路の内壁に近接し、ダンパ板の幅方向の両側に屈曲した一対の側面板を切替ダンパに設けることで、切替ダンパの側面とシュートの内壁の隙間に、粒度の小さい搬送物が進入することを抑制できると考え、これに基づいて、以下のような新たなコンベヤ搬送装置用シュートを発明するに至った。
【００２５】
（１）本発明によるコンベヤ搬送装置用シュートは、上部に配置され、ベルトコンベヤで搬送された搬送物が投下される供給部、この供給部の下方に分岐した二つの排出通路、及び、前記二つの排出通路の分岐部分に回動自在に配置され、一方の前記排出通路を開放しているときは他方の前記排出通路を閉鎖している切替ダンパを備えたコンベヤ搬送装置用シュートであって、前記切替ダンパは、前記二つの排出通路の分岐部分に回動自在に配置された回動軸と、前記回動軸の外周から遠心方向に楔形に延びた一組のダンパ板と、を有し、これらのダンパ板は、前記ダンパ板の幅方向の両側が屈曲して形成された一対の側面板部を有している。
【００２６】
（２）本発明によるコンベヤ搬送装置用シュートは、前記供給部の下方の内部に対向した状態で配置され、前記ベルトコンベヤから投下された搬送物の流れ幅を縮小する一対のストーンボックスを更に備え、一対のストーンボックスは、落下した搬送物が前記ダンパ板の中央部に集束するように、対向間隔を設定していることが好ましい。
【００２７】
（３）前記切替ダンパは、前記ダンパ板の外面に取り付けた硬質のライナー板を更に備え、前記ライナー板は、前記ダンパ板の側面板部に内側から当接する側部を有していることが好ましい。
【発明の効果】
【００２８】
本発明によるコンベヤ搬送装置用シュートは、排出通路の内壁に近接し、ダンパ板の幅方向の両側に屈曲した一対の側面板部を切替ダンパに設けることで、切替ダンパの側面とシュートの内壁の隙間に、粒度の小さい搬送物が進入することを抑制できる。
【図面の簡単な説明】
【００２９】
【図１】本発明の一実施形態によるコンベヤ搬送装置用シュートの構成を示す縦断面図であり、一方の排出通路を切替ダンパで閉鎖し、他方の排出通路を切替ダンパが開放した状態図である。
【図２】本発明の一実施形態によるコンベヤ搬送装置用シュートの構成を示す縦断面図であり、一方の排出通路を切替ダンパが開放し、他方の排出通路を切替ダンパで閉鎖した状態図である。
【図３】前記実施形態によるコンベヤ搬送装置用シュートの構成を示す縦断面図であり、図１のＡ−Ａ矢視断面図である。
【図４】前記実施形態によるコンベヤ搬送装置用シュートに備わる切替ダンパの構成を示す図であり、図４（Ａ）は、切替ダンパの斜視図、図４（Ｂ）は、図４（Ａ）のＡ−Ａ矢視断面図である。
【図５】従来技術によるコンベヤ搬送装置用シュートの構成を示す縦断面図であり、図５（Ａ）は、一方の排出通路を切替ダンパが開放し、他方の排出通路を切替ダンパで閉鎖した状態図、図５（Ｂ）は、一方の排出通路を切替ダンパで閉鎖し、他方の排出通路を切替ダンパが開放した状態図である。
【図６】他の従来技術によるコンベヤ搬送装置用シュートの構成を示す縦断面図であり、図６（Ａ）は、一方の排出通路を切替ダンパが開放し、他方の排出通路を切替ダンパで閉鎖した状態図、図６（Ｂ）は、一方の排出通路を切替ダンパで閉鎖し、他方の排出通路を切替ダンパが開放した状態図である。
【図７】図６（Ｂ）の拡大図である。
【図８】他の従来技術によるコンベヤ搬送装置用シュートに備わる切替ダンパの構成を示す図であり、図８（Ａ）は、切替ダンパの斜視図、図８（Ｂ）は、図８（Ａ）のＡ−Ａ矢視断面図である。
【発明を実施するための形態】
【００３０】
以下、図面を参照して本発明を実施するための形態を説明する。
【００３１】
［コンベヤ搬送装置用シュートの構成］
最初に、本発明の一実施形態によるコンベヤ搬送装置用シュートの構成を説明する。なお、他の従来技術で付した符号と同じ符号を付した構成品は、その作用を同じにするので以下説明を省略することがある。
【００３２】
（全体構成）
図１から図３を参照すると、本発明の一実施形態によるコンベヤ搬送装置用シュート（以下、シュートと略称する）１０は、上部に構成した供給部１ｃ、分岐排出通路１１ｐ、及び、主排出通路１２ｐを有している。主排出通路１２ｐは、供給部１ｃに連通している。分岐排出通路１１ｐは、主排出通路１２ｐの上部から分岐している。なお、分岐排出通路１１ｐ及び主排出通路１２ｐを一方の排出通路及び他方の排出通路と言い換えることもできる。
【００３３】
図１又は図２を参照すると、供給部１ｃには、上流側に配置されたベルトコンベヤ１Ｃｖの一部が導入されている。ベルトコンベヤ１Ｃｖで搬送された石炭などの搬送物Ｃがシュート１０の供給部１ｃに投下されている。
【００３４】
図１又は図２を参照すると、シュート１０の供給部１ｃには、バッフルプレート（緩衝板）Ｂｐを配置している。バッフルプレートＢｐは、所定の間隔を設けて、ベルトコンベヤ１Ｃｖと対向配置している。ベルトコンベヤ１Ｃｖで搬送された搬送物ＣがバッフルプレートＢｐに衝突することで、搬送物Ｃの落下方向を変更できる。
【００３５】
図１又は図２を参照すると、シュート１０の供給部１ｃには、一対の三角柱状のストーンボックス（緩衝棚）１Ｓｂ・２Ｓｂを供給部１ｃの出口側の内壁に固定している。実施形態では、一対のストーンボックス１Ｓｂ・２Ｓｂは、三角形状の断面における斜辺がシュート１０（供給部１ｃ）の内側を向くと共に斜め上方向を向くように配置される。また、一対のストーンボックス１Ｓｂ・２Ｓｂは、高さ方向の位置が重ならない程度、高さ方向の位置をずらした状態で対向配置される。
一対のストーンボックス１Ｓｂ・２Ｓｂを対向配置し、ベルトコンベヤ１Ｃｖから落下した搬送物Ｃがストーンボックス１Ｓｂ・２Ｓｂの斜面に衝突することで、落下エネルギーを低減できる。又、シュート１０は、一対のストーンボックス１Ｓｂ・２Ｓｂにより供給部１ｃの幅を狭くすることで切替ダンパ２によって分岐排出通路９１ｐ又は主排出通路９２ｐを好適に閉鎖できる。
【００３６】
図３を参照すると、シュート１０は、一対の台形柱状のストーンボックス（緩衝棚）３Ｓｂ・４Ｓｂを更に備えている。これらのストーンボックス３Ｓｂ・４Ｓｂは、供給部１ｃの下方の内部に対向した状態で配置されている。実施形態では、一対のストーンボックス３Ｓｂ・４Ｓｂは、台形状の断面における一の斜辺がシュート１０（供給部１ｃ）の内側を向くと共に斜め上方向を向くように配置される。また、一対のストーンボックス３Ｓｂ・４Ｓｂは、高さ方向の位置が一致した状態で対向配置される。これらのストーンボックス３Ｓｂ・４Ｓｂは、ベルトコンベヤ１Ｃｖから投下された搬送物Ｃの流れ幅を縮小できる。これらのストーンボックス３Ｓｂ・４Ｓｂは、落下した搬送物Ｃが後述するダンパ板の中央部に集まるように、対向間隔を設定していることが好ましい。なお、一対のストーンボックス１Ｓｂ・２Ｓｂと一対のストーンボックス３Ｓｂ・４Ｓｂは、それらの対面方向が略直交した状態で配置されている。実施形態では、一対のストーンボックス１Ｓｂ・２Ｓｂは、シュート１０（供給部１ｃ）の内壁における、後述の切替ダンパ２の回動軸２ｓの軸方向に直交する方向に対向する内壁に固定される。また、一対のストーンボックス３Ｓｂ・４Ｓｂは、シュート１０（供給部１ｃ）の内壁における、切替ダンパ２の回動軸２ｓの軸方向に対向する内壁に固定される。
【００３７】
図１から図４を参照すると、シュート１０は、切替ダンパ２を内部に備えている。切替ダンパ２は、供給部１ｃに対し、分岐排出通路１１ｐ及び主排出通路１２ｐよりも上流側で回動自在に設けられている。切替ダンパ２は、供給部１ｃから落下した搬送物Ｃを分岐排出通路１１ｐと主排出通路１２ｐに、振り分けることができる。
【００３８】
（切替ダンパの構成）
次に、実施形態による切替ダンパ２の構成を説明する。図１から図４を参照すると、切替ダンパ２は、回動軸２ｓと一組のダンパ板２１・２２を備えている。回動軸２ｓは、ベルトコンベヤ１Ｃｖの駆動軸と平行に設けられ、分岐排出通路１１ｐと主排出通路１２ｐよりも上流側で回動自在に設けられている。一組のダンパ板２１・２２は、基端部から先端部に向けて対向間隔が漸減する楔形に形成され、回動軸２ｓの外周から遠心方向に延びている。一組のダンパ板２１・２２は、それらの基端部が回動軸２ｓの外周に固定されている。又、一組のダンパ板２１・２２は、それらの先端縁同士が互いに連結されている。
【００３９】
図４（Ｂ）を参照すると、一方のダンパ板２１は、分岐排出通路１１ｐ側に配置されている。一方のダンパ板２１は、ダンパ板２１の幅方向の両側が屈曲して形成された一対の側面板部２１ｓ・２１ｓを有している。一対の側面板部２１ｓ・２１ｓは、それらの外面が分岐排出通路１１ｐの内壁Ｗに近接している。具体的には、一対の側面板部２１ｓ・２１ｓ間の間隔（幅）は、一対のストーンボックス３Ｓｂ・４Ｓｂ間の間隔（幅）よりも広く設定される。また、一対の側面板部２１ｓ・２１ｓ間の間隔（幅）は、バッフルプレートＢｐの幅と同程度の間隔（幅）に設定される。更に、一対の側面板部２１ｓ・２１ｓの外面と分岐排出通路１１ｐの内壁Ｗとの隙間の大きさは、一対のストーンボックス３Ｓｂ・４Ｓｂのシュート１０（供給部１ｃ）の内壁からの突出高さよりも小さく設定される。
【００４０】
同様に、他方のダンパ板２２は、主排出通路１２ｐ側に配置されている。図３を参照すると、他方のダンパ板２２は、ダンパ板２２の幅方向の両側が屈曲して形成された一対の側面板部２２ｓ・２２ｓを有している。一対の側面板部２２ｓ・２２ｓは、それらの外面が主排出通路１２ｐの内壁Ｗに近接している。具体的には、一対の側面板部２２ｓ・２２ｓ間の間隔（幅）は、一対のストーンボックス３Ｓｂ・４Ｓｂ間の間隔（幅）よりも広く設定される。また、一対の側面板部２２ｓ・２２ｓ間の間隔（幅）は、バッフルプレートＢｐの幅と同程度の間隔（幅）に設定される。更に、一対の側面板部２２ｓ・２２ｓの外面と主排出通路１２ｐの内壁Ｗとの隙間の大きさは、一対のストーンボックス３Ｓｂ・４Ｓｂのシュート１０（供給部１ｃ）の内壁からの突出高さよりも小さく設定される。
【００４１】
シュート１０は、一組のダンパ板２１・２２の幅方向の両側に屈曲したそれぞれ一対の側面板部２１ｓ・２１ｓ，２２ｓ・２２ｓを切替ダンパ２に設けることで、一組のダンパ板２１・２２に受け止められた搬送物Ｃが、切替ダンパ２の側面とシュート１０の内壁の隙間側に移動し、この隙間に進入することを抑制できる。また、一対の側面板部２１ｓ・２１ｓ，２２ｓ・２２ｓを分岐排出通路１１ｐ及び主排出通路１２ｐの内壁Ｗに近接させることで供給部１ｃから供給される搬送物Ｃをダンパ板２１・２２により好適に受け止められ、隙間に搬送物Ｃを進入しにくくできる。
【００４２】
回動軸２ｓは、シュート９の内壁Ｗ・Ｗを横断した状態で配置されている。シュート１０の内壁Ｗ・Ｗから延出した回動軸２ｓの延長軸をモータなどの回転装置（図示せず）を用いて、所定範囲内で正逆回転させることで、切替ダンパ２の配置を変更できる。
【００４３】
切替ダンパ２は、一方のダンパ板２１の外面に、硬質の第３ライナー板（内張り板）３を取り付けている。又、切替ダンパ２は、他方のダンパ板２２の外面に、硬質の第４ライナー板（内張り板）４を取り付けている。
【００４４】
第３ライナー板３は、一方のダンパ板２１の側面板部２１ｓ・２１ｓに内側から当接する側部３１ｓ・３１ｓを有している。同様に、第４ライナー板４は、他方のダンパ板２２の側面板部２２ｓ・２２ｓに内側から当接する側部４１ｓ・４１ｓを有している。
【００４５】
第３ライナー板３は、例えば、セラミック板で構成している。第４ライナー板４は、例えば、ステンレス板で構成している。第３ライナー板３は、分岐排出通路１１ｐ側に配置している。第４ライナー板４は、主排出通路１２ｐ側に配置している。
【００４６】
図１に示すように、切替ダンパ２が起立して分岐排出通路１１ｐを閉鎖している状態では、第４ライナー板４に搬送物Ｃが当接すると共に、搬送物Ｃが第４ライナー板４上をスライドして、主排出通路１２ｐに流れていく。
【００４７】
一方、図１に示した状態から、切替ダンパ２を時計方向に回転させ、図２に示すように切替ダンパ２が主排出通路１２ｐを閉鎖した状態では、第３ライナー板３に搬送物Ｃが落下すると共に、搬送物Ｃが第３ライナー板３上をスライドして、分岐排出通路２１ｐに流れていく。
【００４８】
シュート１０は、主排出通路１２ｐを切替ダンパ２が開放し、分岐排出通路１１ｐを切替ダンパ９ｄが閉鎖している。主排出通路１２ｐに向かって落下した搬送物Ｃは、切替ダンパ２に遮られて、分岐排出通路１１ｐに流れていくことが阻止される。そして、主排出通路２２ｐに流入した搬送物Ｃは、第２のベルトコンベヤ１２Ｃｖに排出されて所定の他の搬送先に搬送される。
【００４９】
一方、図１に示した状態から、切替ダンパ２を時計方向に回転して、切替ダンパ２が下り傾斜して主排出通路１２ｐを閉鎖した状態では、シュート１０は、分岐排出通路１１ｐを切替ダンパ２が開放し、主排出通路１２ｐを切替ダンパ２が閉鎖している。このような状態では、切替ダンパ２に向かって落下した搬送物Ｃは、切替ダンパ２に遮られて、分岐排出通路１１ｐに流れていく。そして、分岐排出通路１１ｐに流入した搬送物Ｃは、第１のベルトコンベヤ１１Ｃｖに排出されて所定の搬送先に搬送される。
【００５０】
このように、実施形態によるシュート１０は、内部に備えた切替ダンパ２を分岐排出通路１１ｐ側又は主排出通路１２ｐ側に配置することで、上部の供給部１ｃから投入された搬送物Ｃを第１のベルトコンベヤ１１Ｃｖと第２のベルトコンベヤ１２Ｃｖに振り分けることができる。
【００５１】
（コンベヤ搬送装置用シュートの作用）
次に、実施形態によるシュート１０の作用及び効果を説明する。
【００５２】
実施形態によるシュート１０は、上部に配置され、ベルトコンベヤ１Ｃｖで搬送された搬送物Ｃが投下される供給部１ｃ、供給部１ｃの下方に分岐した分岐排出通路１１ｐ及び主排出通路１２ｐ、及び、分岐排出通路１１ｐ及び主排出通路１２ｐの分岐部に回動自在に配置された切替ダンパ２を備えている。そして、切替ダンパ２が主排出通路１２ｐを開放しているときは分岐排出通路１１ｐを閉鎖し、切替ダンパ２が分岐排出通路１１ｐを開放しているときは主排出通路１２ｐを閉鎖している。
【００５３】
切替ダンパ２は、回動軸２ｓと一組のダンパ板２１・２２を有している。回動軸２ｓは、分岐排出通路１１ｐ及び主排出通路１２ｐの分岐部に回動自在に配置されている。一組のダンパ板２１・２２は、回動軸２ｓの外周から遠心方向に楔形に延びている。
【００５４】
一組のダンパ板２１・２２は、ダンパ板２１・２２の幅方向の両側に屈曲した一対の側面板部２１ｓ・２１ｓ及び一対の側面板部２２ｓ・２２ｓを有している。切替ダンパ２が主排出通路１２ｐを閉鎖している状態では、一対の側面板部２１ｓ・２１ｓは、主排出通路１２ｐ側の内壁Ｗに近接できる。切替ダンパ２が分岐排出通路１１ｐを閉鎖している状態では、一対の側面板部２２ｓ・２２ｓは、分岐排出通路１１ｐ側の内壁Ｗに近接できる。
【００５５】
このように、シュート１０は、一組のダンパ板２１・２２の幅方向の両側に屈曲したそれぞれ一対の側面板部２１ｓ・２１ｓ，２２ｓ・２２ｓを切替ダンパ２に設けることで、一組のダンパ板２１・２２に受け止められた搬送物Ｃが、切替ダンパ２の側面とシュート１０の内壁の隙間側に移動し、この隙間に進入することを抑制できる。また、一対の側面板部２１ｓ・２１ｓ，２２ｓ・２２ｓを分岐排出通路１１ｐ及び主排出通路１２ｐの内壁Ｗに近接させることで供給部１ｃから供給される搬送物Ｃをダンパ板２１・２２により好適に受け止められ、隙間に搬送物Ｃを進入しにくくできる。
【００５６】
又、実施形態によるシュート１０は、ベルトコンベヤ１Ｃｖから投下された搬送物Ｃの流れ幅を縮小する一対の第３及び第４ストーンボックス３Ｓｂ・４Ｓｂを備えている。これらの第３及び第４ストーンボックス３Ｓｂ・４Ｓｂは、供給部１ｃの下方の内部に対向した状態で配置されている。
【００５７】
一対の第３及び第４ストーンボックス３Ｓｂ・４Ｓｂは、落下した搬送物Ｃがダンパ板２１又はダンパ板２２の中央部に集束するように、対向間隔を設定している。また、一対の第３及び第４ストーンボックス３Ｓｂ・４Ｓｂにより、シュート１０（供給部１ｃ）において搬送物Ｃが落下する部分の幅をダンパ板２１・２２の幅（一対の側面板部２１ｓ・２１ｓ間の間隔及び一対の側面板部２２ｓ・２２ｓ間の間隔）よりも狭く設定しているので、落下した搬送物Ｃをより確実にダンパ板２１・２２により受け止められ、切替ダンパ２の側面とシュート１０の内壁の隙間に進入しにくくできる。
【００５８】
実施形態によるシュート１０は、落下した搬送物Ｃがダンパ板２１又はダンパ板２２の中央部に集束するように、対向間隔を設定しているので、一対の第３及び第４ストーンボックス３Ｓｂ・４Ｓｂを備えているので、切替ダンパ２の側面とシュート１０の内壁の隙間に、粒度の小さい搬送物Ｃが進入することを抑制できる。
【００５９】
更に、切替ダンパ２は、ダンパ板２１又はダンパ板２２の外面に取り付けた硬質のライナー板３・４を更に備えている。そして、これらのライナー板３.４は、ダンパ板２１・２２の側面板部２１ｓ，２２ｓに内側から当接する側部３１ｓ又は側部３１ｓを有している。落下した搬送物Ｃが硬質のライナー板３又はライナー板４に衝突又は擦れることで、ダンパ板２１又はダンパ板２２の損傷を抑制できる。
【００６０】
第３ライナー板３は、セラミック板で構成し、第４ライナー板４は、ステンレス板で構成しているが、第３ライナー板３及び第４ライナー板４をセラミック板で構成してもよく、第３ライナー板３及び第４ライナー板４をステンレス板で構成してもよい。
【００６１】
実施形態によるシュート１０は、一組のダンパ板２１・２２の幅方向の両側に屈曲したそれぞれ一対の側面板部２１ｓ・２１ｓ，２２ｓ・２２ｓを切替ダンパ２に設けると共に、落下した搬送物Ｃがダンパ板２１又はダンパ板２２の中央部に集束するように、対向間隔を設定している一対の第３及び第４ストーンボックス３Ｓｂ・４Ｓｂを備えているので、これらの相乗効果により、切替ダンパ２の側面とシュート１０の内壁の隙間に、粒度の小さい搬送物が進入することを抑制できる。
【００６２】
本発明によるコンベヤ搬送装置用シュートは、以下の効果がある。
（１）切替ダンパの側面とシュートの内壁の隙間に、粒度の小さい搬送物が進入することを抑制できる。その結果、シュートの内壁に石炭などの搬送物が固着することを抑制できる。
（２）シュートの内壁に固着した石炭などの搬送物を除去する作業を低減できる直接的な効果がある。
（３）既存のシュートに適用できるという効果がある。
【符号の説明】
【００６３】
１Ｃｖ  ベルトコンベヤ
１ｃ  供給部
２  切替ダンパ
２ｓ  回動軸
１０  シュート（コンベヤ搬送装置用シュート）
２１・２２  一組のダンパ板
２１ｐ  分岐排出通路（排出通路）
２１ｓ・２１ｓ  一対の側面板部
２２ｐ  主排出通路（排出通路）
２２ｓ・２２ｓ  一対の側面板部
Ｃ  搬送物
【図１】
2022001514.tif 000003
【図２】
2022001514.tif 000004
【図３】
2022001514.tif 000005
【図４】
2022001514.tif 000006
【図５】
2022001514.tif 000007
【図６】
2022001514.tif 000008
【図７】
2022001514.tif 000009
【図８】
2022001514.tif 000010